(57)【要約】【課題】手が濡れているときでも容易に傘の水分を吸収しながら傘を巻きとめることのできる水分吸収具を提供する。【解決手段】吸収具本体１１の内周部１４及び外周部１５を吸水性部材で形成したので、吸収具本体１１の外周部１５を手で把持した際、手に付着した水分を外周部１５を形成する吸水性部材によって吸収することができる。従って、手が濡れているときでも吸収具本体１１を確実に把持することが可能となり、傘Ａの水分吸収及び巻きとめを容易且つ確実に行うことができる。また、傘Ａの水分を吸収する作業と同時に手の水分も吸収することができるので、別途手を拭く必要がないという利点もある。さらに、例えば車両に乗車した場合には、車内に付着した水分を外周部１５により吸収することもできる。さらに、傘Ａを収納するビニール袋と併用する場合には、ビニール袋が傘Ａから抜け落ちるのを防止するためのストッパとして使用することもできる。【選択図】図１
0003115785.tif 000002
【実用新案登録請求の範囲】
【請求項１】
傘を挿入可能な筒状の吸収具本体を吸水性部材によって形成し、傘を吸収具本体内に挿入することにより、傘に付着した水分を吸収具本体で吸収しながら傘を巻きとめるようにした傘の水分吸収具において、
前記吸収具本体の内周部及び外周部を吸水性部材によって形成した
ことを特徴とする傘の水分吸収具。
【請求項２】
前記吸水性部材としてセルローズを用いた
ことを特徴とする請求項１記載の傘の水分吸収具。
【請求項３】
前記内周部を傘の挿入方向一端側から他端側に向かって内径が徐々に小さくなるように形成した
ことを特徴とする請求項１または２記載の傘の水分吸収具。
【請求項４】
前記外周部における傘の挿入方向と直交する断面を多角形に形成した
ことを特徴とする請求項１、２または３記載の傘の水分吸収具。
【考案の詳細な説明】
【技術分野】
【０００１】
本考案は、雨天時に使用した傘を巻きとめるとともに、傘に付着した水分を吸収する水分吸収具に関するものである。
【背景技術】
【０００２】
従来、この種の水分吸収具として、傘を巻きとめるときに傘に付着した水分によって手が濡れるのを防止するために、傘を挿入する吸収具本体の内部に吸収性樹脂を設け、傘を吸収具本体の内部に挿入することにより、傘に付着した水分を吸水性部材で吸収しながら傘を巻きとめるようにしたものが知られている（例えば特許文献１参照）。
【特許文献１】実用新案登録第３０４０５７７号公報
【考案の開示】
【考案が解決しようとする課題】
【０００３】
しかしながら、従来の水分吸収具では、吸収具本体の内側に設けた吸水性樹脂によってのみ水分を吸収するようにしているため、濡れた手で傘を挿入する場合に吸収具本体と手との間に介在する水分によって吸収具本体が滑りやすくなり、傘の水分吸収及び巻きとめに時間を要し、作業が面倒になるという問題があった。
【０００４】
本考案は前記問題点に鑑みてなされたものであり、その目的とするところは、手が濡れているときでも容易に傘の水分を吸収しながら傘を巻きとめることのできる水分吸収具を提供することにある。
【課題を解決するための手段】
【０００５】
本考案は、前記目的を達成するために、傘を挿入可能な筒状の吸収具本体を吸水性部材によって形成し、傘を吸収具本体内に挿入することにより、傘に付着した水分を吸水性部材で吸収しながら傘を巻きとめるようにした傘の水分吸収具において、前記吸収具本体の内周部及び外周部を吸水性部材によって形成している。
【０００６】
これにより、吸収具本体の外周部を手で把持した際、手に付着した水分が外周部を形成する吸水性部材によって吸収される。
【考案の効果】
【０００７】
本考案によれば、吸収具本体の外周部を手で把持した際、手に付着した水分を外周部を形成する吸水性部材によって吸収することができるので、手が濡れているときでも吸収具本体を確実に把持することが可能となり、傘の水分吸収及び巻きとめを容易且つ確実に行うことができる。また、傘の水分を吸収する作業と同時に手の水分も吸収することができるので、別途手を拭く必要がないという利点もある。さらに、例えば車両に乗車した場合には、車内に付着した水分を外周部により吸収することもできる。さらに、傘を収納するビニール袋と併用する場合には、ビニール袋が傘から抜け落ちるのを防止するためのストッパとして使用することもできる。さらに、本考案の水分吸収具は単一の材料から形成されているので、従来の水分吸収具よりも部品点数を少なく形成することができる。
【考案を実施するための最良の形態】
【０００８】
図１乃至図４は本考案の一実施形態を示すもので、図１は水分吸収具の全体図、図２は水分吸収具の側面断面図、図３は水分吸収具の平面図、図４は水分吸収具の使用例を示す図である。
【０００９】
本考案の水分吸収具１０は、水分吸収部材の一つであるセルローズ（植物性繊維素）から形成された吸収具本体１１からなり、吸収具本体１１には、一端側開口部１２、他端側開口部１３、内周部１４及び外周部１５が形成されている。
【００１０】
一端側開口部１２は吸収具本体１１の長手方向一端側に設けられており、図３に示すように円形に形成されている。また、他端側開口部１３は吸収具本体１１の長手方向他端側に設けられており、一端側開口部１２と同様に円形に形成されている。
【００１１】
また、図２に示すように、一端側開口部１２と他端側開口部１３の間には内周部１４が設けられており、内周部１４は一端側開口部１２を他端側開口部１３より大きく形成することにより、他端側開口部１３の中心に向かってテーパ状に傾斜するように形成されている。内周部１４は、一端側開口部１２を介して吸収具本体１１に挿入された傘Ａの布地と接触すると、傘Ａの布地に付着した水分を吸収する。
【００１２】
外周部１５は、吸収具本体１１の外周に形成されており、傘Ａの挿入方向と直交する断面は図３に示すように六角形に形成されている。
【００１３】
以上のように構成された水分吸収具１０は、図４に示すように、吸収具本体１１の外周部１５が手で把持された状態において、傘Ａが挿入方向を軸として回転しながら一端側開口部１２を介して吸収具本体１１に挿入されると、内周部１４によって傘Ａの布地に付着した水分が吸収される。また、傘Ａの布地は、内周部１４と接触しながら回転することによって巻きとめられる。
【００１４】
このように、本実施形態の傘の水分吸収具によれば、傘Ａを挿入する吸収具本体１１の内周部１４に傘Ａが挿入されたときに、傘Ａに付着した水分を吸水性部材で吸収するとともに傘を巻きとめるようにしたので、手を濡らすことなく傘Ａの布地を巻きとめるとともに傘Ａに付着した水分を吸収することができる。この場合、吸収具本体１１の内周部１４及び外周部１５を吸水性部材で形成したので、吸収具本体１１の外周部１５を手で把持した際、手に付着した水分を外周部１５を形成する吸水性部材によって吸収することができる。従って、手が濡れているときでも吸収具本体１１を確実に把持することが可能となり、傘Ａの水分吸収及び巻きとめを容易且つ確実に行うことができる。また、傘Ａの水分を吸収する作業と同時に手の水分も吸収することができるので、別途手を拭く必要がないという利点もある。さらに、例えば車両に乗車した場合には、車内に付着した水分を外周部１５により吸収することもできる。さらに、傘Ａを収納するビニール袋と併用する場合には、ビニール袋が傘Ａから抜け落ちるのを防止するためのストッパとして使用することもできる。さらに、内周部１４及び外周部１５は吸収具本体１１に形成されているので、従来の水分吸収具よりも部品点数を少なくすることができる。
【００１５】
さらに、吸水性部材としてセルローズを用いたので、水分吸収による内周部１４及び外周部１５の吸水性を高めることができる。
【００１６】
さらに、内周部１４を一端側開口部１２から他端側開口部１３の中心に向かってテーパ状に傾斜するように形成したので、傘Ａを内周部１４に沿って容易に挿入することができる。
【００１７】
さらに、外周部１５における傘Ａの挿入方向と直交する断面を多角形に形成したので、指の関節が外周部１５の角に係止し易くなり、吸収具本体１１を確実に把持することが可能となる。
【００１８】
なお、前述した実施形態では、図２に示すように、一端側開口部１２を他端側開口部１３よりも大きく形成することにより、内周部１４を他端側開口部１３の中心に向かってテーパ状に傾斜するように形成したが、図５に示すように、一端側開口部１２と他端側開口部１３の大きさを等しくしてもよい。
【００１９】
また、前述した実施形態では、図３に示すように、傘Ａの挿入方向と直交する断面を六角形に形成したが、他の多角形で形成してもよいし、図６に示すように円形に形成してもよい。
【図面の簡単な説明】
【００２０】
【図１】本考案の一実施形態を示す水分吸収具の全体図
【図２】水分吸収具の側面断面図
【図３】水分吸収具の平面図
【図４】水分吸収具の使用例を示す図
【図５】他の実施形態を示す水分吸収具の側面断面図
【図６】他の実施形態を示す水分吸収具の平面図
【符号の説明】
【００２１】
１０…水分吸収具、１１…吸収具本体、１２…一端側開口部、１３…他端側開口部、１４…内周部、１５…外周部、Ａ…傘。
【図１】
0003115785.tif 000003
【図２】
0003115785.tif 000004
【図３】
0003115785.tif 000005
【図４】
0003115785.tif 000006
【図５】
0003115785.tif 000007
【図６】
0003115785.tif 000008